(57)【要約】【課題】冷蔵庫の運搬時に運搬性を向上させた冷蔵庫を提供すること。【解決手段】冷蔵庫１１の背面上部左右に第一把手部２０と、底部の前面側の左右に手を挿入可能な孔部２２を形成した第二把手部２１を設けた冷蔵庫１１において、前記孔部２１の周縁に前記冷蔵庫１１を横倒しにしても手を掛けられる手掛け部２３を形成することにより、後方に傾けて運搬したい時は第二把手部に設けられた孔部２２を使用し、また、横向きに倒して運搬したい時は、第二把手部２１に設けられた手掛け部２３を使用することができるので、運搬者にとって運搬性を向上させた冷蔵庫を提供できる。となる。【選択図】図１
2012013385.tif 000002
【特許請求の範囲】
【請求項１】
冷蔵庫の背面上部左右に第一把手部と、底部の前面側の左右に手を挿入可能な孔部を形成した第二把手部とを設けた冷蔵庫において、前記孔部の周縁に前記冷蔵庫を横倒しにしても手を掛けられる手掛け部を形成した冷蔵庫。
【請求項２】
手掛け部の表面には補強リブを形成した請求項１に記載の冷蔵庫。
【請求項３】
底面と固定する第二把手部の固定部の外周には前記底面と当接する外周リブを形成した請求項１または２に記載の冷蔵庫。
【請求項４】
第二把手部は樹脂で成形したことを特徴とする請求項１から３のいずれか１項記載の冷蔵庫。
【発明の詳細な説明】
【技術分野】
【０００１】
本発明は、冷蔵庫の運搬性を向上させるために、冷蔵庫の底部前面側に設けられた運搬用把手に関するものである。
【背景技術】
【０００２】
従来、この種の冷蔵庫は、冷蔵庫を後方に傾けて運搬するために、底部前面先端部に把手を設けている（例えば、特許文献１参照）。また、冷蔵庫を横方向に傾けて運搬するために、冷蔵庫側面に把手部を設けているものもある（例えば、特許文献２参照）。
【０００３】
図９は、特許文献１に記載された従来の冷蔵庫の概略図を示すものである。図９に示すように、第一把手部１と、第二把手部２とから構成されている。冷蔵庫の運搬は通常２人で行い、１人が第一把手部１を持ち、もう１人が第二把手部２を持って運搬するというものである。
【０００４】
また、図１０は、特許文献２に記載された従来の冷蔵庫の概略図を示すものである。図１１は、特許文献２に記載された従来の冷蔵庫の下部構成概略図を示すものである。図１０、１１に示すように、側板３と、底板４と、底板４の左右側部に設けられた側桁５から構成され、側桁５を床側に延在し、略Ｌ時に内側に曲げて形成することで把手部６を構成している。冷蔵庫を運搬する時は、１人が把手部６を持ち、もう１人が冷蔵庫側面上側の端部７を持って運搬するというものである。
【先行技術文献】
【特許文献】
【０００５】
【特許文献１】特開２００８−７００６５号公報
【特許文献２】特開２００９−７４７４７号公報
【発明の概要】
【発明が解決しようとする課題】
【０００６】
しかしながら、前記従来の構成では、把手部が設けられているものの、冷蔵庫を後方に傾けて運搬可能だが、横方向に傾けて運搬することができない。または、横倒しにして運搬することは可能だが、後方に傾けて運搬することができない。というように冷蔵庫を運搬する時は、一方向に傾けての運搬しか行うことができなかった。
【０００７】
そのため、後方に傾けて運搬可能な冷蔵庫においては、冷蔵庫本体の横幅寸法が奥行き寸法より大きい冷蔵庫を運搬する時に、冷蔵庫設置場所までの運搬通路が狭い状況では、通路と冷蔵庫間の隙間が大きく確保できず、冷蔵庫本体や通路の壁を傷付ける虞があった。また、通路が冷蔵庫の横幅よりも狭く、奥行きよりも広い場合においては、横方向に傾けて運搬すると運搬可能となるにもかかわらず、後方に傾けて運搬することしか出来ないので、冷蔵庫を運搬することが出来ないという課題を有していた。
【０００８】
また、横方向に傾けて運搬可能な冷蔵庫においては、冷蔵庫本体の奥行き寸法が横幅寸法より大きい冷蔵庫を運搬する時には、上述した課題があった。また、冷蔵庫の扉が横向きとなり運搬されるので、運搬中の不注意から扉が傷付く虞があり、冷蔵庫設置時に傷付いた扉が正面に位置し、見た目が悪くなるという課題を有していた。
【０００９】
また、横方向に傾けて運搬する時に用いる把手部は側桁を延在して形成されているが、側桁は、冷蔵庫側板と、冷蔵庫底板とを連結固定するだけでなく、冷蔵庫本体が変形しないように補強板の役割も果たしている。そのため、冷蔵庫底面の強度を確保できずに冷蔵庫底面に変形が発生するという課題を有していた。また補強板としての側桁を把手部としているため、運搬時に冷蔵庫側面板が変形するという課題を有していた。
【００１０】
本発明は、前記従来の課題を解決するもので、冷蔵庫の運搬時において後方に傾けて運搬可能かつ横方向に傾けても運搬可能であり、冷蔵庫本体の強度も確保した冷蔵庫を提供することを目的とする。
【課題を解決するための手段】
【００１１】
前記従来の課題を解決するために、本発明の冷蔵庫は、冷蔵庫の背面上部左右に第一把手部と、底部の前面側の左右に手を挿入可能な孔部を形成した第二把手部を設けた冷蔵庫において、前記孔部の周縁に前記冷蔵庫を横倒しにしても手を掛けられる手掛け部を形成した冷蔵庫としたものである。
【００１２】
これによって、冷蔵庫を後方に傾けて運搬すること、横方向に傾けて運搬することが可能となり、また把手部を新たに設けたことにより冷蔵庫本体の強度も確保可能となる。
【発明の効果】
【００１３】
本発明の冷蔵庫は、冷蔵庫を後方に傾けて運搬すること、横方向に傾けて運搬することが可能となり、運搬性を向上することができるので、運搬者の使い勝手を向上させることができると同時に、冷蔵庫本体の強度も確保可能となり、変形の虞のない冷蔵庫を提供することができる。
【図面の簡単な説明】
【００１４】
【図１】本発明の実施の形態１における冷蔵庫の概略図
【図２】本発明の実施の形態１における冷蔵庫の略断面図
【図３】本発明の実施の形態１における冷蔵庫底面の概略図
【図４】本発明の実施の形態１における第二把手部の概略図
【図５】本発明の実施の形態１における第三把手部の概略図
【図６】本発明の実施の形態１における冷蔵庫の運搬時の概略図
【図７】本発明の実施の形態１における冷蔵庫の運搬時の概略図
【図８】本発明の実施の形態１における第二把手部の概略図
【図９】従来の冷蔵庫の概略図
【図１０】従来の冷蔵庫の概略図
【図１１】従来の冷蔵庫の下部構成概略図
【発明を実施するための形態】
【００１５】
第１の発明は、冷蔵庫の背面上部左右に第一把手部と、底部の前面側の左右に手を挿入可能な孔部を形成した第二把手部を設けた冷蔵庫において、前記孔部の周縁に前記冷蔵庫を横倒しにしても手を掛けられる手掛け部を形成した構成とした。これにより、冷蔵庫を後方に傾けて冷蔵庫の前から手を挿入しての運搬や横方向に傾けて運搬することが可能となり、運搬者にとって使い勝手の良い冷蔵庫を提供することができる。
【００１６】
第２の発明は、特に、第１の発明において、手掛け部の表面には補強リブを形成した構成とした。これにより、手掛け部の強度を確保できるので、冷蔵庫の運搬時において安心安全である。
【００１７】
第３の発明は、特に、第１または第２の発明において、底面と固定する第二把手部の固定部の外周には前記底面と当接する外周リブを形成した構成とした。これによって、底面と固定部を固定した後に断熱材を充填する時に、固定部から断熱材が漏れて第二把手部の外へ漏れるのを防止することが可能となり、冷蔵庫の外観をきれいに保つことができる。また、漏れた断熱材を除去する作業が不要となり組み立てコストを低減できる。
【００１８】
第４の発明は、特に、第１〜３のいずれか１つの発明において、第二把手部は樹脂で成形した構成とした。これにより、冷蔵庫重量が低減可能となり、運搬作業を楽にできる。
【００１９】
以下、本発明の実施の形態について、図面を参照しながら説明する。なお、この実施の形態によって本発明が限定されるものではない。
【００２０】
（実施の形態１）
図１は、本発明の第１の実施の形態における冷蔵庫の外観図を示すものである。図２は、本発明の第１の実施の形態における冷蔵庫の概略断面図を示すものである。図３は、本発明の第１の実施の形態における冷蔵庫の底面斜視図を示すものである。図４は、本発明の第１の実施の形態における第二把手部の斜視図を示すものである。図５は、本発明の第１の実施の形態における接続部に設けられた第三把手部の斜視図を示すものである。
【００２１】
図１〜５において、冷蔵庫１１は天面１２、背面１３、側面１４、底面１５からなる外箱１６と食品などを収納するための空間を形成する内箱１７、開閉自在に取り付けられた扉１８から構成されており、外箱１６と内箱１７の間、扉の中には断熱材１９が充填されることによって、外郭形成されている。冷蔵庫１１の上部背面１３の左右には第一把手部２０が設けられ、冷蔵庫１１の底面１５の前面側左右に同形状の第二把手部２１ａ、２１ｂを設けている。
【００２２】
第二把手部２１は、冷蔵庫１１の底面１５にビス（図示せず）によって固定されている。第二把手部２１は、樹脂で形成されており、手を挿入可能な孔部２２が設けられており、孔部２２の周縁には手を掛けることが可能である手掛け部２３を設けた構成としている。また、第二把手部２１の表面には補強リブ２４を設けている。
【００２３】
具体的に、手掛け部２３は補強リブ２４よりも下方へ窪んで形成され、手掛け部２３に手を引掛けた時に、指がその窪み部となっている手掛け部２３に掛かって引掛けやすく、また持ちやすくしている。
【００２４】
また孔部２２の外周壁は孔部２２の左右に形成された補強リブ２４と、手を孔部２２に挿入したときに握る部分となる前部の握り部４０と、後部壁とで形成され、運搬するときの握り部４０の肉厚は補強リブ２４の肉厚よりも薄く成形されており、持ち運ぶときの運搬作業性を向上することができる。
【００２５】
また、冷蔵庫１１の底面１５の後方には、背面１３と底面１５を連結固定するための樹脂製の接続部材２５が設けられている。接続部材２５には、第二把手部２１の手掛け部に相対する位置で底面１５の後方には第三把手部２６が形成されている。第三把手部２６は略Ｌ字状の接続部材２５の一部を手が挿入できるように凹ませて一体に形成されている。
【００２６】
また、冷蔵庫の底面１５と第二把手部２１はビス（図示せず）２本によって固定されており、第二把手部２１の固定部であるビス孔２７を取り囲むように外周リブ２８を形成している。
【００２７】
以上のように構成された冷蔵庫について、以下その動作、作用を説明する。
【００２８】
まず、図６に示すように、冷蔵庫１１を後方に傾けて運搬する時は、１人が第一把手部２０を、もう１人が第二把手部２１の孔部２２に手を挿入することによって運搬することが可能となる。また、図７に示すように、冷蔵庫１１を横方向に傾けて運搬する時は、１人が冷蔵庫１１の側面上部両端２９を、もう１人が第二把手部２１ｂに設けられた手掛け部２３と、第三把手部２６を使用することによって運搬可能となる。
【００２９】
ここで、第三把手部２６は冷蔵庫１１正面から見て右側に設けた第二把手部２１ｂの手掛け部２３に相対する位置に設けており、冷蔵庫１１の右側面１４が上側になるような運搬方法としている。したがって、後方へ傾けての運搬、及び横方向に傾けての運搬が任意に選択可能となる。
【００３０】
以上のように、本実施の形態の形態においては、冷蔵庫１１本体の横幅寸法が奥行き寸法より大きい冷蔵庫１１を運搬する時は、横方向に傾けて運搬することによって、冷蔵庫１１の設置場所までの運搬通路が狭い状況下では、通路と冷蔵庫間の隙間を大きく確保でき、冷蔵庫１１本体や通路の壁を傷付ける可能性を軽減できる。
【００３１】
また、通路の幅が冷蔵庫１１の横幅よりも狭く、奥行きよりも広い場合においては、横方向に傾けて運搬することにより、冷蔵庫１１を運搬することが可能となる。また、横方向に傾けて運搬する時には、冷蔵庫１１の扉１８が横向きとなり運搬されることになるので、運搬中の不注意から扉１８が傷付く虞があったが、後方に傾けて運搬することで扉は上方を向くこととなり、通路や壁に接触して扉１８を傷付ける可能性を軽減でき、傷付いて見た目が悪くなるということが軽減される。
【００３２】
また、第二把手部２１を新たに設けることにより、冷蔵庫１１の外郭を構成している部品で把手部を構成する必要がないので、冷蔵庫１１の強度確保が可能となり、頑丈な冷蔵庫１１を提供できる。
【００３３】
第二把手部２１について説明すると、図４のように第二把手部２１の外周部に凹凸部２１ｃを形成している。これによって冷蔵庫１１の側面１４が天面となるように冷蔵庫１１を横倒しにして運搬する場合、凹凸部２１ｃに手を掛けて運ぶときに滑り止めとなって横倒し姿勢でも運搬しやすくなる。
【００３４】
また第三把手部２６は具体的に、第二把手部２１ａ、２１ｂの間に形成されており、左右どちらの側面１４が天面となるように横倒し姿勢にした場合でも第一把手部２０と、第二把手部２１ａ又は第二把手部２１ｂと、第三把手部２６とを持って、横倒し運搬を行うことができ、間口寸法が規制された場所を通る場合に、冷蔵庫の運搬性を高めることができる。
【００３５】
なお、左側に設けている第二把手部２１ｂに相対する位置に第三把手部２６を設けることで、冷蔵庫１１正面から見て、右側面１４が上側となる運搬方法とすることが可能であり、第三把手部２６をどちら側に設けても何ら問題ない。また、第三把手部２６を２箇所設ける構成とすることで、運搬者の都合により左右どちらにでも傾けて運搬することが可能となり、更に運搬性を向上させた冷蔵庫を提供可能である。
【００３６】
また、第二把手部２１を樹脂で形成することにより、冷蔵庫１１の重量低減を可能とすることができ、また運搬時に手が触れる部分を曲面で容易に形成できるため、持ちやすい形状にすることが出来るので運搬作業に楽にすることが出来る。
【００３７】
また、手掛け部２３は、板厚部分が波状の形状に形成された上記の凹凸部２１ｃを側面壁とし、平板状に形成されているので、扉１８が天面となって運搬する場合には孔部２２に手を通して握り部４０を掴んで運搬し、側面１４が天面となって運搬する場合には凹凸部２１ｃに手を掛けて運搬することが可能となる。このように運搬者の手が掛かり易い構成となっているので、手掛け部２３を保持しやすく、運搬性が高くなっている。
【００３８】
また、第二把手部２１は左右とも同形状のものを用いている。そのため、組み立て時に間違えることがなく確実な組み立てが可能である。また、１種類の金型で左右の第２把手部２１ａ、２１ｂを構成可能なのでコスト軽減できる。
【００３９】
また、第三把手部２６は、樹脂製の接続部材２５で形成されているため、複雑な形状であっても容易に形成可能であるため、持ちやすい把手部を提供することが出来る。なお、本実施の形態では接続部材２５を樹脂製としているが、樹脂製に限定するものではなく、例えば、鋼板を用いても、把手部を構成可能なら何ら問題はない。
【００４０】
また、第二把手部２１の表面には補強リブ２４を設けているので、第二把手部２１の強度を確保することが可能となり運搬時には安心安全である。
【００４１】
また、冷蔵庫の底面１５と第二把手部２１はビスによって固定されており、第二把手部２１のビス孔２７の周囲に外周リブ２８を形成しているので、断熱材１９を充填した時に断熱材１９がビス孔２７から漏れるのを防止することが可能であり、冷蔵庫１１の外観をきれいに保つことができる。また、漏れた断熱材１９を除去する作業が不要となり組み立てコストを低減できる。また、図８に示すように、漏れた断熱材を溜める溜まり部３０を追加で設けることで同様の効果が期待できる。また、溜まり部３０のみを設けても同様の効果が期待できる。
【産業上の利用可能性】
【００４２】
以上のように、本発明にかかる冷蔵庫は、運搬方向の選択が可能となるので、冷蔵庫以外においても人力で運搬する大型機器等の運搬性向上を図ることが出来る。
【符号の説明】
【００４３】
１１  冷蔵庫
２０  第一把手部
２１  第二把手部
２２  孔部
２３  手掛け部
２４  補強リブ
２７  固定部（ビス孔）
２８  外周リブ
【図１】
2012013385.tif 000003
【図２】
2012013385.tif 000004
【図３】
2012013385.tif 000005
【図４】
2012013385.tif 000006
【図５】
2012013385.tif 000007
【図６】
2012013385.tif 000008
【図７】
2012013385.tif 000009
【図８】
2012013385.tif 000010
【図９】
2012013385.tif 000011
【図１０】
2012013385.tif 000012
【図１１】
2012013385.tif 000013